(57)【要約】【課題】管理負担を増加させることなく、明るさを容易に異ならせ、放電灯の配光特性に近く、配光特性を容易に変更する。【解決手段】ランプユニット１０は、湾曲板１１ａを備えるヒートシンク１１と、湾曲板１１ａの湾曲外側に設けられ半導体発光素子１７が実装された基板１６と、湾曲板１１ａの湾曲内側に設けられる点灯回路１９とを備え、ＬＥＤランプ２０は、複数のランプユニットが取付けられる配置具２１と取付部材２４とを備える。配置具２１は、基板１６を外側にして環状に配置された複数のランプユニットの先端が取付けられる先端取付具２２と、環状に配置された複数のランプユニットの基端が取付けられる基端取付具２３とを備えても良く、複数のランプユニットの内側端がヒンジを介して取付けられた枢支部材と、ランプユニットの傾斜角度を可変可能に固定する固定手段とを備えるものであっても良い。【選択図】  図１
2019139867.tif 000002
【特許請求の範囲】
【請求項１】
円弧状に湾曲する湾曲板(11a)を備えるヒートシンク(11)と、
前記湾曲板(11a)の湾曲外側に湾曲面に沿って設けられ半導体発光素子(17)が実装された基板(16)と、
前記湾曲板(11a)の湾曲内側に設けられ前記半導体発光素子(17)を点灯させる点灯回路(19)と
を備えるランプユニット。
【請求項２】
ヒートシンク(11)が湾曲板(11a)の両端を直線的に連結する連結板(11b)を更に備え、前記湾曲板(11a)と前記連結板(11b)との間に点灯回路(19)が設けられた請求項１記載のランプユニット。
【請求項３】
複数の請求項１又は２記載のランプユニット(10)と、
環状に配置された複数の前記ランプユニット(10)が取付けられる配置具(21,41)と、
前記配置具(21,41)に設けられた取付部材(24,56)と
を備えたＬＥＤランプ。
【請求項４】
配置具(21)が、基板(16)を外側にして互いに平行に又は傾斜して環状に配置された複数のランプユニット(10)の先端が取付けられる先端取付具(22)と、環状に配置された複数の前記ランプユニット(10)の基端が取付けられる基端取付具(23)とを備え、
取付部材(24)が、前記基端取付具(23)に設けられた請求項３記載のＬＥＤランプ。
【請求項５】
配置具(41)が、放射状を成すように環状に配置された複数のランプユニット(10)の内側端がヒンジ(42)を介して取付けられた枢支部材(43)と、前記枢支部材(43)に対する複数の前記ランプユニット(10)の傾斜角度を可変可能に固定する固定手段(50)とを備え、
取付部材(56)が、前記枢支部材(43)に設けられた請求項３記載のＬＥＤランプ。
【請求項６】
固定手段(50)が、
枢支部材(43)に立設され先端に取付部材(56)が設けられた支柱(51)と、
前記支柱(51)に長手方向に移動可能に嵌入された移動部材(52)と、
前記移動部材(52)と複数の前記ランプユニット(10)とをそれぞれ連結する複数の連結部材(53)と、
前記移動部材(52)を前記支柱(51)の長手方向の任意の位置で係止させる係止手段(55)と
を備えた請求項５記載のＬＥＤランプ。
【請求項７】
取付部材が口金(24)である請求項３ないし６のいずれか１項に記載のＬＥＤランプ。
【請求項８】
取付部材がチェーン(56)を含む請求項３ないし６のいずれか１項に記載のＬＥＤランプ。
【発明の詳細な説明】
【技術分野】
【０００１】
本発明は、半導体発光素子を光源とするランプユニット、及び、それを備えた、例えば蛍光灯、 水銀灯、メタルハライドランプ(Metal Halide Lamp)のような放電灯の代替として用いることができるＬＥＤランプに関するものである。
【背景技術】
【０００２】
従来、コンパクト型の蛍光灯、 水銀灯、メタルハライドランプ(Metal Halide Lamp)のような放電灯を代替することができる多様な種類のＬＥＤランプが開発されている。このようなＬＥＤランプでは、半導体発光素子を光源とし、その光源となる半導体発光素子は、一般的に、発光時に比較的多くの熱を発生させるものとして知られている。
【０００３】
従って、そのような半導体発光素子を光源とするＬＥＤランプでは、その点灯時に発生する熱を放出するために、半導体発光素子が実装された基板の周りに放熱のためのヒートシンクを備えることが行われる。しかし、単一のヒートシンクを使用すると、放熱効率が悪化することも考えられるので、使用寿命を延長するのに限界が生じる不具合が考えられる。
【０００４】
この点を解消する為に、ヒートシンクが結合されている棒状のＬＥＤチューブを複数用い、その複数のＬＥＤチューブを互いに平行にしつつ環状に配置したＬＥＤランプが提案されている（たとえば特許文献１参照）。このＬＥＤランプでは、棒状のＬＥＤチューブを環状に配置することから、その中央に放熱空間が形成されるので、ＬＥＤチューブに設けられた各ヒートシンクからの放熱を確保し得るとしている。
【０００５】
そして、この従来のＬＥＤランプでは、複数のＬＥＤチューブにより包囲されて中央に形成される放熱空間にコンバータハウジングを設け、そのコンバータハウジングに、全てのＬＥＤチューブに実装された半導体発光素子の駆動電源を生成するＡＣ−ＤＣコンバーターを収容するとしている。このため、環状に配置するＬＥＤチューブの数を増減させることにより、照らす明るさの異なるＬＥＤランプとすることが可能となり、明るさの異なる複数種類のＬＥＤランプを容易に得ることができると考えられる。
【先行技術文献】
【特許文献】
【０００６】
【特許文献１】特表２０１７−５２６１５４号公報
【発明の概要】
【発明が解決しようとする課題】
【０００７】
しかし、上記従来のＬＥＤランプでは、半導体発光素子が実装された複数のＬＥＤチューブと別に、全ての半導体発光素子を点灯駆動させる駆動装置であるＡＣ−ＤＣコンバーターを設けているので、ＬＥＤチューブの数を増減させると、実際に発光する半導体発光素子の数も異なることに成り、全ての半導体発光素子を駆動する駆動装置も、その数にあったものに変更する必要があった。
【０００８】
このため、その駆動装置を変更しなければならない点で、複数種類の駆動装置を準備しなければならず、管理負担が増加することから、照らす明るさの異なるＬＥＤランプを得る場合の単価が押し上げられる不具合があった。
【０００９】
また、半導体発光素子の配光は指向性が強いものとして知られている。このため、棒状のＬＥＤチューブにおける発光面を外側にして、複数のＬＥＤチューブを環状に配置すると、主としてランプの周囲を照らすといった配光特性になる。
【００１０】
一方、蛍光灯、 水銀灯、メタルハライドランプ(Metal Halide Lamp)のような放電灯の代替光源とするには、できるだけ放電灯の配光特性に近づけることが要求される。すなわち、放電灯の代替光源とするには、例えば、下向きに取り付けた場合に、周囲のみならず、下方にも光を発することが要求されている。
【００１１】
このため、上記従来のＬＥＤランプでは、互いに平行に環状に配置された複数のＬＥＤチューブの先端に下部基板を設け、この下部基板に下方を照らす半導体発光素子を設けているけれども、環状に配置されるＬＥＤチューブのみで、その配光特性を放電灯のものに近づけられれば、好ましい。
【００１２】
本発明の目的は、管理負担を増加させることなく、明るさを容易に異ならせることのできるランプユニット及びそれを備えたＬＥＤランプを提供することにある。
【００１３】
本発明の別の目的は、放電灯の配光特性に近いランプユニット及びそれを備えたＬＥＤランプを提供することにある。
【００１４】
本発明の更に別の目的は、配光特性を容易に変更し得るＬＥＤランプを提供することにある。
【課題を解決するための手段】
【００１５】
本発明は、円弧状に湾曲する湾曲板を備えるヒートシンクと、湾曲板の湾曲外側に湾曲面に沿って設けられ半導体発光素子が実装された基板と、湾曲板の湾曲内側に設けられ半導体発光素子を点灯させる点灯回路とを備えるランプユニットである。
【００１６】
このランプユニットは、ヒートシンクが湾曲板の両端を直線的に連結する連結板を更に備え、湾曲板と連結板との間に点灯回路を設けることが好ましい。
【００１７】
別の本発明は、複数の上記ランプユニットと、環状に配置された複数のランプユニットが取付けられる配置具と、配置具に設けられた取付部材とを備えたＬＥＤランプである。
【００１８】
この配置具が、基板を外側にして互いに平行に又は傾斜して環状に配置された複数のランプユニットの先端が取付けられる先端取付具と、環状に配置された複数のランプユニットの基端が取付けられる基端取付具とを備える場合、取付部材が、基端取付具に設けられることが好ましい。
【００１９】
また、配置具が、放射状を成すように環状に配置された複数のランプユニットの内側端がヒンジを介して取付けられた枢支部材と、枢支部材に対する複数のランプユニットの傾斜角度を可変可能に固定する固定手段とを備える場合、取付部材が、枢支部材に設けられることが好ましい。
【００２０】
この場合、固定手段が、枢支部材に立設され先端に取付部材が設けられた支柱と、支柱に長手方向に移動可能に嵌入された移動部材と、移動部材と複数のランプユニットとをそれぞれ連結する複数の連結部材と、移動部材を支柱の長手方向の任意の位置で係止させる係止手段とを備えることが更に好ましい。
【００２１】
そして、取付部材は、口金を含むものであっても良く、チェーンを含むものであっても良い。
【発明の効果】
【００２２】
本発明のランプユニットでは、ヒートシンクの湾曲板の湾曲外側に設けられた半導体発光素子を点灯させる点灯回路を湾曲板の湾曲内側に設けるので、このランプユニットを複数用いて環状に配置したＬＥＤランプでは、別に新たな点灯回路を必要としない。このため、複数種類の駆動装置を準備しなければならない従来品に比較して管理負担は軽減し、ランプユニットの個数の変更が容易となって、ランプユニットの数が違って、照らす明るさの異なる複数種類のＬＥＤランプを容易かつ安価に得ることが可能となる。
【００２３】
また、本発明のランプユニットでは、ヒートシンクの湾曲板の湾曲外側に半導体発光素子が実装された基板を設けるので、その基板に長手方向に間隔を開けて設けられた複数の半導体発光素子から発せられる光は、それぞれが湾曲面に垂直に発せられて放射状を成すことになる。このため、このランプユニットを複数用いて環状に配置したＬＥＤランプでは、周囲のみならず下方にも照射可能となって、その配光特性を従来の放電灯の配光特性に近づけることが可能になる。
【００２４】
また、環状に配置された複数のランプユニットの互いの傾斜角度を可変可能にすれば、ヒートシンクの湾曲板の湾曲外側に設けられた複数の半導体発光素子から発せられる光の方向を変更させることが可能となって、配光特性を容易に変化させ得るＬＥＤランプとなる。
【図面の簡単な説明】
【００２５】
【図１】本発明の実施形態におけるＬＥＤランプを示す図３のＡ−Ａ線断面図である。
【図２】そのＬＥＤランプの正面図である。
【図３】そのＬＥＤランプの上面図である。
【図４】そのＬＥＤランプの下面図である。
【図５】そのＬＥＤランプを斜め下方からみた斜視図である。
【図６】本発明の実施形態における別のＬＥＤランプを示す図１に対応する断面図である。
【図７】その別のＬＥＤランプの複数のランプユニットが閉じた状態を示す正面図である。
【図８】その別のＬＥＤランプの複数のランプユニットが開いた状態を示す下面図である。
【図９】その係止手段を示す図６のＢ部拡大断面図である。
【図１０】本発明の実施形態における更に別のＬＥＤランプを示す図５に対応する斜視図である。
【発明を実施するための形態】
【００２６】
次に、本発明を実施するための形態を図面に基づいて詳しく説明する。
【００２７】
図１〜５に本発明におけるＬＥＤランプ２０を示す。このＬＥＤランプ２０は複数のランプユニット１０を備える。複数のランプユニット１０は同一構造であるので、その内の１つを代表して説明する。
【００２８】
図１に示す様に、本発明のランプユニット１０は、円弧状に湾曲する湾曲板１１ａが形成されたヒートシンク１１を備える。図におけるヒートシンク１１は、この湾曲板１１ａの両端を直線的に連結する連結板１１ｂを更に備え、湾曲板１１ａの連結板１１ｂに臨む湾曲内側には幅方向に延びる凸条から成る放熱フィン１１ｃが湾曲板１１ａの長手方向に所定の間隔を開けて複数形成される。
【００２９】
このヒートシンク１１は、熱伝導性の高い金属、例えば、銅やアルミニウム合金等を押し出し成形や板金加工により作られるものとする。図１に示すヒートシンク１１は、長手方向に３分割された部材、即ち、中央部材１２と上部部材１３と下部部材１４をネジ１５により互いに連結することにより作られたものを示し、それらが連結された状態で湾曲板１１ａは滑らかな円弧状を成すように組み立てられるものとする。
【００３０】
ここで、中央部材１２における湾曲板１１ａの幅は広く形成され、上部部材１３及び下部部材１４のそれぞれの湾曲板１１ａの幅方向における両側には、円弧状に切り欠かれた切り欠き部１１ｅ（図２）がそれぞれ形成され、この切り欠き部１１ｅにより、その幅は中央部材１２における湾曲板１１ａの幅に比較して狭く形成される（図２）。
【００３１】
このように、上部部材１３及び下部部材１４のそれぞれの湾曲板１１ａの幅を狭くすることにより、図３及び図４に示すように、基板１６を外側に向けて複数のランプユニット１０を環状に配置可能に構成される。
【００３２】
ヒートシンク１１における湾曲板１１ａの湾曲外側には、半導体発光素子１７が実装された基板１６が湾曲板１１ａの湾曲外面に沿って設けられる。この基板１６にあっては、その外形が湾曲板１１ａの外形を僅かに縮小するような相似形を有し、中央部材１２に設けられる部位の幅は広く、上部部材１３及び下部部材１４に設けられる部位の幅は狭く形成される（図２）。これにより、複数のランプユニット１０が環状に配置された状態で、外方に臨む基板１６の面積を拡大させて、その基板１６に実装される半導体発光素子１７の数を可能な限り増加させ得るように構成される。
【００３３】
図１及び図２に示す様に、この基板１６は湾曲板１１ａの湾曲した外面に添着可能な可撓性を有する材料を用いて作られ、半導体発光素子１７は、湾曲板１１ａの湾曲外面に添着された状態で、長手方向に所定の間隔を開けて複数設けられる。この基板１６に設けられる半導体発光素子１７の数は要求される光の強さにより適宜決定され、図示しないが、この基板１６にはそれら複数の半導体発光素子１７に電力を供給する回路パターンが形成されるものとする。
【００３４】
そして、このヒートシンク１１の湾曲板１１ａにおける湾曲外側には、半導体発光素子１７と共に基板１６の全てを覆う透光性のカバー１８が設けられる。このカバー１８の外形は湾曲板１１ａの外形と略等しくなるように形成され、四隅に切り欠き部１１ｅが形成された湾曲板１１ａが用いられるこの実施の形態では、このカバー１８の四隅にも同様の切り欠き部１８ｂが形成されるものとする。そして、図ではカバー１８がヒートシンク１１にネジ１８ａにより取付けられる場合を示し、このカバー１８は、半導体発光素子１７から発せられる光を透過させるとともに、その半導体発光素子１７や基板１６等を覆って塵埃から保護するように構成される。
【００３５】
図１に戻って、湾曲板１１ａの湾曲内側には、湾曲外側に設けられた複数の半導体発光素子１７の全てを点灯させる点灯回路１９が設けられる。この点灯回路１９は、各種の回路部品１９ｂ，１９ｃ，１９ｄが取付けられた回路基板１９ａを、各種の回路部品１９ｂ，１９ｃ，１９ｄと共に絶縁性ケース１９ｅに収容することにより、ユニット化される。回路部品１９ｂ，１９ｃ，１９ｄの多くは、そのリード端子を回路基板１９ａに貫通させて回路基板１９ａの一面側に実装されていて、そのリード端子は回路基板１９ａの他面に設けられている図示しない回路パターンに半田付けされるものとする。
【００３６】
ヒートシンク１１が湾曲板１１ａの両端を直線的に連結する連結板１１ｂを備えるこの実施の形態では、湾曲板１１ａと連結板１１ｂとの間に点灯回路１９が収容されて接着等により固定されるものとする。これにより、この点灯回路１９は、湾曲板１１ａと連結板１１ｂにより保護され、後述するＬＥＤランプの組み立ての際に、他の部材が接触等するような事態を回避することが可能となる。
【００３７】
そして、この点灯回路１９は半導体発光素子１７に電気的に接続するための図示しない絶縁被覆電線と、外部電力の供給を受けるための図示しない絶縁被覆電線とが導出され、半導体発光素子１７に電気的に接続するための絶縁被覆電線は基板１６における図示しない回路パターンに接続されるものとする。
【００３８】
次に、上記ランプユニットを複数用いた本発明におけるＬＥＤランプを説明する。
【００３９】
本発明におけるＬＥＤランプ２０は、複数の上述したランプユニット１０と、環状に配置された複数のランプユニット１０が環状を成した状態で取付けられる配置具２１とを備える。
【００４０】
図１〜図５では、８つのランプユニット１０を用い、配置具２１は、基板１６を外側にして互いに平行に又は傾斜して環状に配置された複数のランプユニット１０の先端が取付けられる先端取付具２２と、環状に配置された複数のランプユニット１０の基端が取付けられる基端取付具２３とを備える場合を示す。
【００４１】
図１，図４及び図５に示すように、８つのランプユニット１０を用いるこの実施の形態における先端取付具２２は、８角形状を成す先端角板２２ｂと、その先端角板２２ｂの各辺に形成され、８つのランプユニット１０における先端、即ち、ヒートシンク１１の先端がそれぞれ取付けられる先端取付片２２ａとを有する。
【００４２】
ランプユニット１０のヒートシンク１１における先端は、この先端取付具２２における取付片２２ａに、ネジ２２ｃにより固定されるものとし、先端角板２２ｂには、８つのランプユニット１０により包囲される空間を外部に連通して冷却風の通過を可能にする孔２２ｄが形成される。
【００４３】
図１，図２及び図５に示すように、基端取付具２３にあっても、８角形状を成す基端角板２３ｂと、その各辺に形成され、８つのランプユニット１０における基端、即ち、ヒートシンク１１の基端がそれぞれ取付けられる基端取付片２３ａとを有する。
【００４４】
ランプユニット１０のヒートシンク１１における基端は、この基端取付具２３における基端取付片２３ｂに、ネジ２３ｃにより取付けられるものとし、ヒートシンク１１における基端には、８つのランプユニット１０により包囲される空間を外部に連通して冷却風の通過を可能にする孔１１ｄが形成される。また、基端角板２３ｂには、点灯回路１９から引き出され、外部電力の供給を受けるための図示しない絶縁被覆電線の通過を可能にする孔２３ｄが形成される。
【００４５】
ここで、図における配置具２１は、基板１６を外側にした複数のランプユニット１０を互いに平行にした状態で環状に配置するものを示すけれども、先端取付具２２における先端角板２２ｂと、基端取付具２３における基端角板２３ｂの大きさを違えて、基板１６を外側にした複数のランプユニット１０を互いに傾斜させるようにしても良い。
【００４６】
そして、この基端取付具２３には、このＬＥＤランプ２０を設置場所に取付けるため取付部材２４が設けられる。図１〜図３及び図５では、その取付部材２４が口金である場合を示し、この口金２４は、口金要素２４ａと、この口金要素２４ａに固定される絶縁性取付部材２４ｂとを有している。口金要素２４ａは、その周部に例えば螺旋状のねじ山を有していて、図示しないランプソケットに着脱自在に取付けられるものであり、この口金要素２４ａを図示しないランプソケットに着脱自在にねじ込むことにより、このＬＥＤランプ２０を設置場所に取付けるように構成される。
【００４７】
絶縁性取付部材２４ｂは、絶縁性の合成樹脂、例えばポリブチレンテレフタレートなどの絶縁材製であり、口金要素２４ａを絶縁した状態で基端取付具２３に取付ける様に構成される。そして、口金要素２４ａには、各ランプユニット１０における点灯回路１９から引き出された絶縁被覆電線が電気的にそれぞれ接続され、この口金要素２４ａを図示しないランプソケットに螺着すると、そのランプソケットから点灯回路１９への通電が可能になるように構成される。
【００４８】
このため、このように構成されたＬＥＤランプ２０は、取付部材である口金２４を、設置場所における図示しないランプソケットにねじ込むことにより、その設置場所に取付けることが可能になる。そして、ランプソケットから電力の供給があると、口金２４を介して全てのランプユニット１０、この実施の形態では、８つのランプユニット１０における点灯回路１９にそれぞれ電力が供給され、それらにおける点灯回路１９は、それぞれのランプユニット１０における全ての半導体発光素子１７を点灯させることになる。
【００４９】
半導体発光素子１７が点灯すると比較的多くの熱を発生するけれども、その熱はヒートシンク１１に伝達され、そのヒートシンク１１から大気中に放出される。本発明のＬＥＤランプ２０では、複数のランプユニット１０を環状に配置することから、その中央に放熱空間が形成され、先端角板２２ｂに形成された孔２２ｄ又はヒートシンク１１に形成された孔１１ｄから冷却風が流入し、ヒートシンク１１から大気中に放出された熱とともにその空間を移動して、ヒートシンク１１に形成された孔１１ｄ又は先端角板２２ｂに形成された孔２２ｄから外部に放出され、各ランプユニット１０に設けられたヒートシンク１１からの放熱を確保することになる。
【００５０】
特に、この実施の形態では、ヒートシンク１１の四隅に切り欠き部１１ｅを形成し、そのヒートシンク１１を覆うカバー１８の四隅にも切り欠き部１８ｂを形成したので、複数のランプユニット１０を環状に配置しても、その四隅が塞がることはなく、その切り欠き部１１ｅ，１８ｂからの冷却風の流通も可能になる。このため、この切り欠き部１１ｅ，１８ｂの存在により、冷却風の流通が滞ることに起因する冷却不足が生じるようなことを回避することができる。
【００５１】
ここで、複数のランプユニット１０は、それぞれヒートシンク１１の湾曲板１１ａの湾曲外側に半導体発光素子１７が実装された基板１６を設けるので、その基板１６に長手方向に間隔を開けて設けられた複数の半導体発光素子１７から発せられる光は、それぞれが湾曲面に垂直に発せられて放射状を成すことになる。このため、このランプユニット１０を複数用いて環状に配置したＬＥＤランプ２０では、周囲のみならず下方にも照射可能となって、従来の放電灯の配光特性に近づけた配光特性を有するＬＥＤランプ２０となる。
【００５２】
また、このランプユニット１０は、ヒートシンク１１の湾曲板１１ａの湾曲外側に設けられた半導体発光素子１７を点灯させる点灯回路１９を湾曲板１１ａの湾曲内側に設けるので、このランプユニット１０を複数用いて環状に配置したＬＥＤランプ２０では、別に新たな点灯回路１９を必要としない。従って、複数のランプユニット１０を配置具２１により環状に配置するだけで容易にＬＥＤランプ２０を得ることができ、複数種類の駆動装置を準備しなければならない従来品に比較して管理負担は軽減することになる。よって、本発明では、ランプユニット１０の個数の変更も容易となって、ランプユニット１０の数が違って、照らす明るさの異なる複数種類のＬＥＤランプ２０を容易かつ安価に得ることが可能となる。
【００５３】
更に、ランプユニット１０を複数用いて環状に配置した本発明のＬＥＤランプ２０では、それらのランプユニット１０がそれぞれ点灯回路１９を備えているので、例え、その内のいずれかのランプユニット１０における点灯回路１９が故障してそのランプユニット１０における半導体発光素子１７の点灯が困難になったとしても、他のランプユニット１０における半導体発光素子１７の点灯は維持され、一度に全てが消灯する様な事態を回避することができる。そして、その場合における修理にあっても、故障したランプユニット１０を取り替えるだけで済ますことが可能となる。
【００５４】
図６〜図８に本発明の別のＬＥＤランプを示す。
【００５５】
この別のＬＥＤランプ４０にあっても、複数の上述したランプユニット１０と、環状に配置された複数のランプユニット１０が取付けられる配置具４１とを備える。図における配置具４１は、図８に示す様に、放射状を成すように環状に配置された複数のランプユニット１０の内側端がヒンジ４２を介して取付けられた枢支部材４３と、図６に示すように、枢支部材４３に対する複数のランプユニット１０の傾斜角度を可変可能に固定する固定手段５０とを備える場合を示す。
【００５６】
図８に示す様に、８つのランプユニット１０を用いる場合、枢支部材４３は８角形状を成して形成され、その各辺にヒンジ４２がそれぞれ設けられる。図６に示すように、この枢支部材４３における各ヒンジ４２にランプユニット１０のヒートシンク１１における基端がネジ４３ａにより取付けられ、これにより、図８に示す放射状を成すように環状に配置された複数のランプユニット１０は、枢支部材４３に対して回転可能に構成される。
【００５７】
具体的に、図８に示す様に、発光面となる基板１６を同一の方向にむけるとともに、それらのヒートシンク１１が放射状を成すように複数のランプユニット１０を環状に配置し、それらの中央に枢支部材４３を配置して、枢支部材４３における各ヒンジ４２にランプユニット１０のヒートシンク１１における基端をネジ４３ａにより取付ける。
【００５８】
これにより、枢支部材４３に対して複数のランプユニット１０はそれぞれ回転可能に取付けられ、図８では、発光面となる基板１６は同一の方向に向いているけれども、図７に示す様に、それら複数のランプユニット１０が枢支部材４３に対して回転して枢支部材４３に対して略直角になるように起立すると、複数のランプユニット１０は互いに平行になって、それらの発光面となる基板１６が外側を向いて周囲を照らすように構成される。
【００５９】
そして、このＬＥＤランプ４０は、複数のランプユニット１０の枢支部材４３に対する傾斜角度を可変可能に固定する固定手段５０とを備えるけれども、図６における固定手段５０は、枢支部材４３に立設された支柱５１と、支柱５１に長手方向に移動可能に嵌入された移動部材５２と、複数のランプユニット１０におけるヒートシンク１１の連結板１１ｂと移動部材５２とをそれぞれ連結する複数の連結部材５３と、移動部材５２を支柱５１の長手方向の任意の位置で係止させる係止手段５５とを備えるものを示す。
【００６０】
支柱５１は枢支部材４３の中央に立設された鋼棒であって、複数のランプユニット１０が枢支部材４３に対して起立した場合に、それら複数のランプユニット１０により包囲され、その上端がランプユニット１０の上端から突出するような長さのものが用いられる（図７）。ここで、図の符号５１ａは、支柱５１を枢支部材４３に立設させるためのネジを示す。
【００６１】
移動部材５２は支柱５１を成す鋼棒に上下動可能に嵌入された管状体であって、その断面外形は、ランプユニット１０の数に等しい多角形、８つのランプユニット１０を用いるこの実施の形態では、８角形の外形を有するものが用いられる。
【００６２】
連結部材５３はランプユニット１０の数だけ準備され、それらの一端が移動部材５２の各辺に枢支され、それらの他端がそれぞれのランプユニット１０に枢支される。連結部材５３は、ランプユニット１０の長手方向の長さより短く、その半分より長いものが準備され、その他端は、ランプユニット１０の連結板１１ｂのヒンジ４２側に枢支される。
【００６３】
これにより、移動部材５２が図６の実線矢印で示す様に支柱５１の上方に移動すると、各連結部材５３の一端側もその移動部材５２と共に引き上げられて、各連結部材５３の他端が枢支された複数のランプユニット１０は、連結部材５３により引き上げられるように枢支部材４３に対して実線矢印で示す様に回転して、図７に示す様に、起立するように構成される。
【００６４】
逆に、移動部材５２が支柱５１の上方から図６の破線矢印で示す様に下方に移動すると、各連結部材５３の一端側もその移動部材５２と共に下方に移動し、各連結部材５３の他端が枢支された複数のランプユニット１０は、起立状態から連結部材５３により押し広げられて、破線矢印で示す様に傾倒するように構成される。
【００６５】
従って、移動部材５２を支柱５１の長手方向の任意の位置で係止させることにより、傾倒する複数のランプユニット１０を支柱５１に対して傾斜した状態で停止することが可能となり、複数のランプユニット１０の枢支部材４３に対する傾斜角度は移動部材５２の支柱５１に対する位置により決定されることになる。このため、この別のＬＥＤランプ４０では、移動部材５２を支柱５１の長手方向の任意の位置で係止させる係止手段５５を備える。
【００６６】
図９に示す様に、この実施の形態における係止手段は支柱５１に埋設されたボールプランジャ５５であって、このボールプランジャ５５は、本体５５ａにスプリング（図示せず）が内蔵され、本体５５ａの先端からスプリングの付勢力によりボール５５ｂを突出させるものが使用される。このため、このボールプランジャ５５は、ボール５５ｂに荷重を与えると、そのボール５５ｂは本体５５ａの内部に沈み込み、その荷重が解けると図示しないスプリングの力で元に戻って、本体５５ａの先端からボール５５ｂを突出させるように構成される。
【００６７】
図６に示すように、この係止手段であるボールプランジャ５５は、ボールが支柱５１の直径方向に突出するように、支柱５１に長手方向の所定の間隔を開けて複数設けられ、図９に示す様に、支柱５１に嵌入された移動部材５２の内面にはボール５５ｂが落ち込む凹溝５２ａが周方向に形成される。従って、ボールプランジャ５５を包囲する位置に移動部材５２が達すると、本体５５ａの先端から突出するボール５５ｂが凹溝５２ａに落ち込んで、移動部材５２の移動を禁止し、スプリングの付勢力に抗してボール５５ｂが本体５５ａに没入するような力で移動部材５２を移動させることにより、その移動部材５２の更なる移動を可能にするように構成される。
【００６８】
そして、図６及び図７に示すように、支柱５１には取付部材５６が設けられる。この実施の形態における取付部材は、支柱５１の上端に下端が取付けられたチェーン５６であって、チェーン５６の上端には設置場所にそのチェーン５６を係止させるフック５７が設けられる。そして、各ランプユニット１０における点灯回路１９から引き出された電力の供給を受ける図示しない絶縁被覆電線は、このチェーン５６に配索されて設置場所において、その設置場所に配索された別の電力供給電線に接続されるものとする。
【００６９】
このように構成されたＬＥＤランプ４０は、取付部材であるチェーン５６に設けられたフック５７を、設置場所における図示しない被係止具に係止させることにより、その設置場所に吊設される。そして、各ランプユニット１０における点灯回路１９から引き出されてチェーン５６に配索された図示しない絶縁被覆電線を設置場所において電力供給電線と接続させる。このため、その絶縁被覆電線に電力の供給があると、全てのランプユニット１０、この実施の形態では、８つのランプユニット１０における点灯回路１９にそれぞれ電力が供給され、それらにおける点灯回路１９は、それぞれのランプユニット１０における全ての半導体発光素子１７を点灯させることになる。
【００７０】
このように構成されたＬＥＤランプ４０にあっても、複数のランプユニット１０を配置具４１により環状に配置するだけで容易にＬＥＤランプ４０を得ることができ、ランプユニット１０の個数の変更も容易となって、ランプユニット１０の数が違って、照らす明るさの異なる複数種類のＬＥＤランプ４０を容易かつ安価に得ることが可能となる。
【００７１】
また、ランプユニット１０は、ヒートシンク１１の湾曲板１１ａの湾曲外側に半導体発光素子１７が実装された基板１６を設けるので、このランプユニット１０を複数用いて環状に配置したＬＥＤランプ４０では、周囲のみならず下方にも照射可能となって、従来の放電灯の配光特性に近づけた配光特性を有するＬＥＤランプ４０となる。
【００７２】
そして、例え、その内のいずれかのランプユニット１０における点灯回路１９が故障しても、他のランプユニット１０における半導体発光素子１７の点灯は維持され、一度に全てが消灯する様な事態を回避することができる。
【００７３】
また、このＬＥＤランプ４０では、環状に配置された複数のランプユニット１０の互いの傾斜角度が可変可能であるので、ヒートシンク１１の湾曲板１１ａの湾曲外側に設けられた複数の半導体発光素子１７から発せられる光の方向を変更させることが可能となって、配光特性を容易に変化させることが可能となる。
【００７４】
即ち、図７に示す様に、複数のランプユニット１０を枢支部材４３に対して起立させて互いに平行にし、それらの発光面となる基板１６を外側に向いて周囲を照らすような照明状態から、その発光面となる基板１６を周囲斜め下方にするように複数のランプユニット１０を傾動させて、その状態を維持するようなことも容易となる。そして、図８に示すように、複数のランプユニット１０の全ての発光面を下方に向けて、その下方を特に照らすような発光特性も可能となり、所望の発光特性を容易に得ることができるＬＥＤランプ４０となる。
【００７５】
なお、上述した実施の形態では、８つのランプユニット１０が用いられるＬＥＤランプ２０，４０を説明したが、使用するランプユニット１０の数は、求められる明るさにより異なり、７つであっても、６つであっても、５つであっても、４つであっても良く、逆に９つ以上のランプユニット１０を単一のＬＥＤランプ２０，４０が備えるようにしても良い。
【００７６】
また、上述した実施の形態では、取付部材が口金２４及びチェーン５６である場合を説明したが、この取付部材は、取付け箇所にＬＥＤランプ２０，４０を取付け得るものである限り、これらに限られずに、どのようなものであっても良い。
【００７７】
また、上述した実施の形態では、係止手段がボールプランジャ５５である場合を説明したが、移動部材５２を支柱５１の長手方向の任意の位置で係止させ得るかぎり、この係止手段はプランジャ以外の、どのようなものであっても良い。
【００７８】
また、上述した実施の形態では、支柱５１と、移動部材５２と、複数の連結部材５３と、係止手段５５とを備えた固定手段５０を説明したが、ランプユニット１０の傾斜角度を可変可能に固定し得る限り、これに限らず、この固定手段５０は、どのようなものであっても良い。
【００７９】
更に、上述した実施の形態では、ヒートシンク１１の四隅に切り欠き部１１ｅを形成し、そのヒートシンク１１を覆うカバー１８の四隅にも切り欠き部１８ｂを形成したランプユニット１０を用いて説明したが、これらの切り欠き部１１ｅ，１８ｂ以外の箇所からの冷却風の流通が確保されて、これらの切り欠き部１１ｅ，１８ｂからの冷却風の流通が不要であれば、図１０に示す様に、ランプユニット１０の長手方向の中央部分の幅を広くし、両端部における幅を端部に向かうに従って徐々に狭くして、その四隅を閉じるようにしても良い。
【００８０】
このようにランプユニット１０の四隅を切り欠かない場合には、その四隅においても半導体発光素子１７を搭載することが可能となり、照度を向上させることが可能となる。
【符号の説明】
【００８１】
１０  ランプユニット
１１  ヒートシンク
１１ａ  湾曲板
１１ｂ  連結板
１６  基板
１７  半導体発光素子
１９  点灯回路
２０，４０  ＬＥＤランプ
２１，４１  配置具
２２  先端取付具
２３  基端取付具
２４  口金（取付部材）
４２  ヒンジ
４３  枢支部材
５０  固定手段
５１  支柱
５２  移動部材
５３  連結部材
５５  係止手段
５６  チェーン（取付部材）
【図１】
2019139867.tif 000003
【図２】
2019139867.tif 000004
【図３】
2019139867.tif 000005
【図４】
2019139867.tif 000006
【図５】
2019139867.tif 000007
【図６】
2019139867.tif 000008
【図７】
2019139867.tif 000009
【図８】
2019139867.tif 000010
【図９】
2019139867.tif 000011
【図１０】
2019139867.tif 000012